(57)【特許請求の範囲】
【請求項１】
複数のＬＥＤを収容する光ガイド部材であって、
前記光ガイド部材は、前記ＬＥＤより上方の上部面及び前記上部面に対向する下部面を含み、
前記上部面には、複数の凸状構造が形成されている第１密度パターン領域と、複数の凸状構造が形成されている第２密度パターン領域とが形成され、
前記第１密度パターン領域に形成されている複数の凸状構造のうち最も近接する２つの凸状構造の最高点間の距離は、前記第２密度パターン領域に形成されている複数の凸状構造のうち最も近接する２つの凸状構造の最高点間の距離よりも長く、
前記第２密度パターン領域が、前記第１密度パターン領域よりも前記ＬＥＤの光出射面に近い領域に配置され、
前記第１密度パターン領域は、前記光ガイド部材の第１方向に形成された複数の第１凸状構造又は前記光ガイド部材の第２方向に形成された複数の第２凸状構造のいずれか一つからなり、
前記第２密度パターン領域は、前記複数の第１凸状構造及び前記複数の第２凸状構造の交差パターンからなる、前記光ガイド部材。
【請求項２】
前記光ガイド部材の前記下部面には、
複数の凹状構造が形成されている第３密度パターン領域と、複数の凹状構造が形成されている第４密度パターン領域とが形成され、
前記第３密度パターン領域に形成されている複数の凹状構造のうち最も近接する２つの凹状構造の最低点間の距離は、前記第４密度パターン領域に形成されている複数の凹状構造のうち最も近接する２つの凹状構造の最低点間の距離よりも長く、
前記第３密度パターン領域が第４密度パターン領域よりも前記ＬＥＤの光出射面に近い領域に配置される請求項１に記載の光ガイド部材。
【請求項３】
前記光ガイド部材は、前記ＬＥＤを収容する収容溝を備え、
前記第２密度パターン領域は、
前記収容溝の形成位置の垂直上部方向の光ガイド部材の表面に形成され、
隣接する収容溝までの第１距離(ｄ１)の１/５以内の領域に形成される請求項１又は２に記載の光ガイド部材。
【発明の詳細な説明】
【技術分野】
【０００１】
本発明は、ホットスポット現象を低減、及び除去することができる照明ユニットに関する。
【背景技術】
【０００２】
照明ユニットは、自ら光を発することができないＬＣＤの背面にディスプレイ映像が見えるように均一に光を照らす役割をし、導光板は、照明ユニットの輝度と均一な照明機能を実行する部品であって、光源(ＬＥＤ)から発散される光をＬＣＤの全面に均一に伝達する。
【０００３】
図１は、ＬＥＤを光源として用いる照明ユニットの構造を示すものであり、図示されたように、プリント回路基板１０の上部に装着される複数のＬＥＤ２０を備え、上記ＬＥＤ２０から出射する光を上部に伝達する導光板３０を備える。特に、最近は、複数のＬＥＤを光源として用いて発光面全体を均一に面発光させようとする試みが続いており、この場合、平面上にＬＥＤを複数配列し、導光板に凹んだ孔を形成して孔の内部にＬＥＤが挿入されるようにする構造で配置する。
【０００４】
しかしながら、ＬＥＤが導光板の内部に挿入される場合、ＬＥＤに近い面には熱によりホットスポット(ｈｏｔ ｓｐｏｔ、Ｘ)が発生することになり、これによりＬＥＤに近い領域は輝度が相対的に高くなり、これにより輝度ムラが発生することになる。
【発明の概要】
【発明が解決しようとする課題】
【０００５】
本発明は、上述した問題を解決するためになされたものであり、本発明の目的は、導光板の上部面に高密度光学パターンを形成してＬＥＤの光を拡散させ、ホットスポットを除去する一方、隣接する領域に低密度光学パターンを配置して光の伝達距離を向上させ、光取り出し効率を向上させることができる照明ユニットを提供することにある。
【課題を解決するための手段】
【０００６】
上述した課題を解決するための手段として、本発明は、複数のＬＥＤが実装されたプリント回路基板と、上記ＬＥＤを収容する収容溝が備えられた光ガイド部材とを含み、上記光ガイド部材は、一面及び上記一面に対向する他面を含み、一面には、第１密度パターン領域と上記第１密度パターン領域よりもパターン密度が高い第２密度パターン領域が形成され、上記第２密度パターン領域が第１密度パターン領域よりも上記ＬＥＤの光出射面に近い領域に配置された照明ユニットを提供する。
【０００７】
特に、この場合、上記第１及び第２密度パターン領域は、複数の凸状構造(ｒｅｌｉｅｆ ｓｔｒｕｃｔｕｒｅ)の突出パターンが重なるか、又は独立して形成され、さらに、上記凸状構造の突出パターンは多角錐状のパターン又は半球状のパターンで形成できる。
【０００８】
又、上記光ガイド部材の他面には、第３密度パターン領域と上記第３密度パターン領域よりもパターン密度が高い第４密度パターン領域が形成され、上記第３密度パターン領域が第４密度パターン領域よりも上記ＬＥＤの光出射面に近い領域に配置されることが望ましい。
【０００９】
又、上記第３及び第４密度パターン領域は、凹状構造(ｅｎｇｒａｖｉｎｇ ｓｔｒｕｃｔｕｒｅ)のパターンが重なるか、又は独立して形成され、上記凹状構造のパターンは、光ガイド部材の表面の内部方向に凹状構造の多角錐状のパターン又は半球状のパターンで形成できる。
【００１０】
特に、上述した構造において、上記第１〜第４密度パターン領域は、凸状又は凹状の多角錐状のパターンを含んで形成され、上記多角錐状のパターンの下部傾斜角(σ)が３５〜７０度の値を備えるようにして密度を調節することも可能である。
【００１１】
又、上記第２密度パターン領域は、上記収容溝の形成位置の垂直上部方向の光ガイド部材の表面に形成され、隣接する収容溝までの第１距離(ｄ１)の１/５以内の領域に形成することができる。
【００１２】
又、上記第３密度パターン領域は、少なくとも２以上が備えられるように配置することができる。
【００１３】
又、上記収容溝と上記ＬＥＤの離隔距離は１００ｍｍ以下の範囲で形成することができる。
【００１４】
特に、本発明に係る第１密度パターン領域は、上記光ガイド部材の第１方向に形成された第１光学パターン又は上記光ガイド部材の第２方向に形成された第２光学パターンからなり、上記第２密度パターン領域は、上記第１及び第２光学パターンの交差パターンからなる照明ユニットを提供できる。
【００１５】
又、上記第２密度パターン領域が、第１密度パターン領域よりも上記ＬＥＤの光出射面に近い領域に配置されるように形成することができる。
【００１６】
又、上記第１光学パターン又は第２光学パターンは、凸状構造の突出パターンをライン状に形成することができる。この場合、上記凸状構造の突出パターンは、多角錐状のラインパターン又は半球状のラインパターンで形成することができる。
【発明の効果】
【００１７】
本発明によると、光ガイド部材の上部面に形成される高密度光学パターンを形成してＬＥＤの光を拡散させ、ホットスポットを除去する一方、隣接する領域に低密度光学パターンを配置して光の伝達距離を向上し、光取り出し効率を向上させる効果を実現することができる。
【００１８】
特に、光ガイド部材の下部面には、ＬＥＤの光出射部の隣接領域に低密度光学パターンを、遠い領域には高密度光学パターンを配置して光取り出し効率を向上させる一方、光の均一性を向上させることができるという利点も実現される。
【図面の簡単な説明】
【００１９】
【図１】ＬＥＤを光源として用いる照明ユニットの構造を示すものである。
【図２】本発明に係るバックライトユニットの構造を示す概念図である。
【図３】本発明に係る光学パターンの一例を示すものである。
【図４】本発明に係る光ガイド部材の光学パターンを形成した多角錐状のパターンの実現例を示すものである。
【図５】本発明に係る光学パターンの一例を示すものである。
【図６】本発明に係る光ガイド部材の下部面に形成される光学パターンの形状を示すものである。
【図７】本発明に係る照明ユニットに光学パターンが形成された適用例の上部平面図を示すものである。
【発明を実施するための形態】
【００２０】
本発明は、ＬＥＤ付近で発生する強い光により形成されるホットスポット現象を減少させ、光の均一性を向上させることができるように、光ガイド部材の上部及び下部面に特殊な形状の光学パターンの密度を調節して照明ユニットを実現することを要旨とする。
【００２１】
そのために、本発明は、複数のＬＥＤが実装されたプリント回路基板と、上記ＬＥＤを収容する収容溝が備えられた光ガイド部材とを含み、上記光ガイド部材は、一面及び上記一面に対向する他面を含み、一面には、第１密度パターン領域と上記第１密度パターン領域よりもパターン密度が高い第２密度パターン領域が形成され、上記第２密度パターン領域が第１密度パターン領域よりも上記ＬＥＤの光出射面に近い領域に配置される照明ユニットを提供することができる。
【００２２】
特に、この場合、上記第１及び第２密度パターン領域は、複数の凸状構造の突出パターンが重なるか、又は独立して形成され、さらに、上記凸状構造の突出パターンは、多角錐状のパターン又は半球状のパターンで形成できる。又は、上記第１密度パターン領域は、上記光ガイド部材の第１方向に形成された第１光学パターン又は上記光ガイド部材の第２方向に形成された第２光学パターンからなり、上記第２密度パターン領域は、上記第１及び第２光学パターンの交差パターンからなる照明ユニットを提供することもできる。
【００２３】
又、上記光ガイド部材の他面には、第３密度パターン領域と上記第３密度パターン領域よりもパターン密度が高い第４密度パターン領域が形成され、上記第３密度パターン領域が第４密度パターン領域よりも上記ＬＥＤの光出射面に近い領域に配置されることが望ましい。
【００２４】
(実施の形態)
以下、添付した図面を参照して本発明に係る構成及び作用を具体的に説明する。但し、本発明はこれらにより限定されるものではない。本明細書に亘って同じ構成要素に対しては同じ符号を付し、これについての重複説明は省略する。
【００２５】
図２は、本発明に係る照明ユニットの構造を示す断面概念図である。
【００２６】
（１）第１の実施例 - 光ガイド部材の上部面に形成される第１及び第２密度パターン領域
図示したように、本発明に係る照明ユニットは、複数のＬＥＤ１２０が実装されたプリント回路基板１１０と、上記ＬＥＤ１２０を収容する収容溝１４０が備えられた光ガイド部材１３０とを含んで構成され、特に、上記光ガイド部材の一面又は他面に密度調節が行われた光学パターン領域を備えることを特徴とする。上記ＬＥＤ１２０は、光の出射面１２１が、上記収容溝１４０の側壁方向に形成される側面発光型ＬＥＤ(ｓｉｄｅ ｖｉｅｗ ＬＥＤ)を用いることができ、即ち、ＬＥＤ光源１３０から出射される光の方向が直に上方に直進するのではなく、側辺に向けて出射する構造の光源を用いることができる。上記収容溝１４０と上記ＬＥＤとの離隔距離ｄは、１００ｍｍ以下の範囲で形成することが望ましい。
【００２７】
即ち、本発明に係る光ガイド部材１３０は、一面及び上記一面に対向する他面を含み、上記光ガイド部材１３０の一面には、第１密度パターン領域(Ｘ１)と上記第１密度パターン領域よりもパターン密度が高い第２密度パターン領域(Ｘ２)とが形成される。特に、この場合、上記第２密度パターン領域が第１密度パターン領域よりも上記ＬＥＤの光出射面に近い領域に配置することが望ましい。
【００２８】
上記第１及び第２密度パターン領域(Ｘ１、Ｘ２)を構成する光学パターンは、複数の凸状構造の突出パターンが重なるか、又は独立して形成される。例えば、上記第２密度パターン領域(Ｘ２)の場合、相対的に上記第１密度パターン領域(Ｘ１)より高密度のパターンが形成されるため、複数の凸状構造の突出パターンをより密な間隔で形成したり、突出パターンの一部が重なるように形成する方式でパターンの密度を調節して形成することができる。
【００２９】
特に、この場合、上記第２密度パターン領域(Ｘ２)は、第１密度パターン領域(Ｘ１)よりも上記ＬＥＤの光出射面に近い領域に配置することがより望ましい。これは、ＬＥＤの光出射面に近い方に上記第２密度パターン領域(Ｘ２)を形成し、ＬＥＤの光出射面に遠い方には第１密度パターン領域(Ｘ１)を形成することがより望ましい。これは、光ガイド部材の上部面に形成される第２密度パターン領域(Ｘ２)は、高密度のパターンが配置又は重畳パターンで形成され、ＬＥＤの光出射部に近いところに配置させることにより、入射される強い光を多く拡散又は散乱させることができ、これにより、ホットスポットの形成が減少される効果を実現できる。又、上記第２密度パターン領域(Ｘ２)は、上記収容溝の形成位置の垂直上部方向の光ガイド部材の表面に形成され、隣接する収容溝までの第１距離(ｄ１)の１/５以内の領域に形成されることが望ましい。より望ましくは、第２密度パターンの形成限界地点はＬＥＤの光出射面から１０ｍｍ以内の距離(Ｘ３)に形成され、ホットスポットの発生を除去できるようにする。
【００３０】
一方、上述した光ガイド部材の上部面の第１密度パターン領域(Ｘ１)には、上述した凸状構造の突出パターンを独立して形成する単一構造で形成し、パターン密度を低くして出射される光を遠い距離まで伝達する機能及び光の取り出し効率を向上させるようにし、光の均一性を向上させることができる。
【００３１】
（２）第２の実施例 - 光ガイド部材の下部面に形成される第３及び第４密度パターン領域
上述した図２を参照して説明した一実現例に加えて、本発明に係る実施例では、光ガイド部材の一面に対向する他面上に光学パターンを形成できる。特に、光ガイド部材の他面に形成される光学パターンも、独立した形状の光学パターンの重畳構造又は独立構造で形成することができ、但し、凹状構造で光ガイド部材に直接形成されることが望ましい。
【００３２】
即ち、上記光ガイド部材１３０の他面(下部面)に光学パターンを形成するが、上記光学パターンは、収容溝が形成されていない領域の表面に形成されることが望ましい。
【００３３】
具体的には、上記光ガイド部材１３０の他面には、第３密度パターン領域Ｙ１と上記第３密度パターン領域よりもパターン密度が高い第４密度パターン領域Ｙ２とが形成され、特に、上記第３密度パターン領域が上記第４密度パターン領域よりも上記ＬＥＤの光出射面に近い領域に配置されることがより望ましい。この場合、上記第３及び第４密度パターン領域は、凹状構造の独立したパターンの重畳構造や独立配置構造で形成することができる。
【００３４】
即ち、光ガイド部材１３０の第３及び第４密度パターン領域は、光ガイド部材の表面の内部方向に凹状構造で様々な断面形状(半円、楕円、不規則な形状など)を備えるように形成でき、本発明に係る一実施例では多角錐状のパターン又は半球状のパターンが形成される。
【００３５】
特に、第３密度パターン領域Ｙ１は、ＬＥＤから出る光の取り出し効率を向上させ、光の均一性(ｕｎｉｆｏｒｍｉｔｙ)を向上させることができ、第４密度パターン領域Ｙ２は、相対的に第３密度パターン領域よりも高密度のパターンで形成されて光の拡散及び散乱を向上させることができる。
【００３６】
図３は、図２に示した光ガイド部材の上部面(一面)に形成される光学パターンの一実現例を示すものである。
【００３７】
図示したように、図３の(ａ)及び(ｂ)は、突出構造のパターンを多角錐状のパターンで形成したものであり、(ａ)は、四角錐状のパターンを稠密に配置した構造を、(ｂ)は、より広い間隔で配置してパターンの密度を調節した例を示したものである。特に、(ａ)の場合、それぞれの四角錐状のパターンの一部が重なるように形成してパターンの密度をより高めることができる。
【００３８】
(ｃ)及び(ｄ)は、半球状のパターンの配置を示したものであり、(ｃ)は、より密集した構造の配置を、(ｄ)は、より離隔した低密度パターンの配置を示したものである。この場合も(ｃ)の配置で半球状のパターンの一部を重ねて形成してパターン密度を高めることができることは勿論である。もちろん、本発明による半球状のパターンとは、半球形状、半楕円形状、先鋭な先端を有さない様々な立体パターンを含む概念である。
【００３９】
図４は、特に、図３での凸状構造の突出パターンを形成する方法の実際のイメージを示すものであり、(ｂ)は(ａ)に示された四角錐状のパターンを重畳印刷してより密な構造のパターン配置を実現したイメージを示すものであり、(ｄ)は(ｃ)で示した実際の実現イメージを示すものである。もちろん、このようなパターンは、凹状構造で形成して光ガイド部材の下面に形成できることは上述した通りである。
【００４０】
特に、(ｆ)の場合、(ｅ)に示すように凸状又は凹状の多角錐状のパターンを考慮する場合、上記多角錐状のパターンの下部傾斜角(σ)を１５〜８０度の範囲で形成できる。より望ましくは、上記多角錐状のパターンの下部傾斜角(σ)が３５〜７０度の値を備えるようにし、このような角度調節によりパターンの密度を調節することができる。１５度未満の角度では、光の取り出し量が少なくなって効率が低下し、８０度を超える場合には、パターンの傾斜度が高すぎて信頼性が低下することになる。特に、３５〜７０度の範囲では光の取り出し効率を最大化しながら信頼性も確保できるという利点が実現される。
【００４１】
例えば、四角錐状のパターンである場合、低密度の配置のためには３５〜５０度の下部傾斜角を有するようにパターンを形成し、高密度の配置のためには５０〜７０度のパターン配置を形成してパターンの密度を高めることができるようにする。
【００４２】
（３）第３の実施例 - 光ガイド部材の上部面に形成される第１及び第２密度パターン領域 - ラインパターン及び交差パターンの形成
以下では、第１の実施例で形成した第１及び第２密度パターン領域の他の実施例を説明する。
【００４３】
図２及び図５を参照すると、本発明の第３の実施例に係る照明ユニットは、複数のＬＥＤ１２０が実装されたプリント回路基板１１０と上記ＬＥＤ１２０を収容する収容溝１４０が備えられた光ガイド部材１３０とを含んで構成され、特に、上記光ガイド部材の一面又は他面に密度調節が行われた光学パターン領域を備えることを特徴とする。上記ＬＥＤ１２０は、光の出射面１２１が、上記収容溝１４０の側壁方向に形成される側面発光型ＬＥＤ(ｓｉｄｅ ｖｉｅｗ ＬＥＤ)を用いることができ、即ち、ＬＥＤ光源１３０から出射される光の方向が直に上方に直進するのではなく、側辺に向けて出射する構造の光源を用いることができる。上記収容溝１４０と上記ＬＥＤとの離隔距離(ｄ)は、１００ｍｍ以下の範囲で形成することが望ましい。
【００４４】
即ち、本発明に係る光ガイド部材１３０は、一面及び上記一面に対向する他面を含み、上記光ガイド部材１３０の一面には、第１密度パターン領域(Ｘ１)と上記第１密度パターン領域よりもパターン密度が高い第２密度パターン領域(Ｘ２)とが形成される。この場合、上記第１密度パターン領域(Ｘ１)は、上記光ガイド部材の第１方向に形成された第１光学パターン又は上記光ガイド部材の第２方向に形成された第２光学パターンからなり、上記第２密度パターン領域(Ｘ２)は、上記第１及び第２光学パターンの交差パターンからなる。ここで、交差パターンとは、光ガイド部材の横方向又は縦方向を意味する第１又は第２方向に形成されるライン状の光学パターンが交差して形成されるものを意味する。
【００４５】
即ち、本発明の光ガイド部材１３０の一面、図示された実施例では、上部面には高密度のパターン領域(第２密度パターン領域)と低密度のパターン領域(第１密度パターン領域)が備えられる構造で形成され、上記それぞれの第１及び第２密度パターン領域は、光ガイド部材の横方向又は縦方向に形成されるライン状のパターンで形成され、特に、第２密度パターン領域は、交差パターンで形成されて高密度に形成できるようになる。
【００４６】
特に、本発明に係る上記第１光学パターン又は第２光学パターンは、光ガイド部材の横方向又は縦方向に凸状構造の突出パターンをライン状に形成(本発明では「ラインパターン」とする。)することができ、上記凸状構造の突出パターン(ラインパターン)は、図５に示すように、その垂直断面形状が多角形又は半円形の多角錐状のラインパターン又は半球状のラインパターンで形成することができる。
【００４７】
又、上記第２密度パターン領域は、上記ＬＥＤの光出射面に近い領域に配置されることがより望ましい。これは、ＬＥＤの光出射面に近い方に上記第２密度パターン領域(Ｘ２)を形成し、ＬＥＤの光出射面に遠い方には第１密度パターン領域(Ｘ１)を形成することがより望ましい。これは、光ガイド部材の上部面に形成される第２密度パターン領域(Ｘ２)は高密度の交差パターンで形成され、ＬＥＤの光出射部に近いところに配置させることにより、入射される強い光を多く拡散又は散乱させることができ、これにより、ホットスポットの形成が減少される効果を実現できる。
【００４８】
特に、第２密度パターン領域(Ｘ２)は、上記収容溝の形成位置の垂直上部方向の光ガイド部材の表面に形成され、隣接する収容溝までの第１距離(ｄ１)の１/５以内の領域に形成されることが望ましい。より望ましくは、第２密度パターンの形成限界地点はＬＥＤの光出射面から１０ｍｍ以内の距離(Ｘ３)に形成され、ホットスポットの発生を除去できるようにする。
【００４９】
一方、上述した光ガイド部材の上部面の第１密度パターン領域(Ｘ１)には、第１光学パターン又は第２光学パターンを交差構造ではない、単一構造で形成してパターン密度を低くして出射される光を遠い距離まで伝達する機能及び光の取り出し効率を向上させるようにし、光の均一性を向上させることができる。
【００５０】
もちろん、上述した第３の実施例と共に、第２の実施例で上述した第３及び第４密度パターン領域は、光ガイド部材の表面の内部方向に凹状構造で様々な断面形状(半円、楕円、不規則な形状など)を備えるように形成することができる。
【００５１】
図５は、光ガイド部材の上部面(一面)に形成されるラインパターンと交差パターンの一実現例を示すものである。
【００５２】
図示したように、図５の(ａ)と(ｃ)は本発明に係る「ラインパターン」の一実現例を示すものであり、(ａ)はプリズムラインパターン、(ｃ)は半円状のラインパターンを示したものである。上述したように、本発明でのラインパターンとは、光ガイド部材の第１方向又は第２方向にライン状のパターンを形成したものを意味し、ラインパターンの断面形状に応じて様々な多角形状のラインパターン、半円状のラインパターン、楕円状のラインパターン、プリズムラインパターン(三角形状のラインパターン)で形成することができる。
【００５３】
(ｂ)及び(ｄ)は、上述した本発明に係る第１光学パターンと第２光学パターンの交差パターンを示すものであり、(ｂ)は(ａ)のプリズムラインパターンの交差構造で形成される交差パターン形状を示したものであり、(ｄ)は(ｃ)の半円状のラインパターンの交差構造で形成される交差パターンを示したものである。したがって、本発明での交差パターンとは、第１光学パターン又は第２光学パターンの形状構造により様々な形状に形成でき、例えば、(ａ)と(ｃ)の交差構造でも形成可能である。
【００５４】
図６は、本発明に係る光ガイド部材の下部面に形成される光学パターンの形状を示すものであり、光ガイド部材の表面の内部方向に凹状構造の多角錐状のパターン又は半球状のパターンを形成する独立したパターン形状を示すものである。
【００５５】
(ａ)は、多角錐状のパターンの一例を示したものであり、四角錐状のパターンの形状が光ガイド部材の内部方向に凹状に形成することができ、(ｂ)は、半球状のパターンの一例を示したものであり、このような半球状のパターンを光ガイド部材の内部方向に凹状に形成することができる。
【００５６】
特に、このようなパターンは、配置程度により密度を異にすることができ、(ａ)又は(ｂ)に示す構造のパターンの一部が重なる構造で形成することにより、パターンの密度を高めることもできる。(ｃ)は、(ａ)に示された四角錐状のパターンの形成において、四角錐の一部が重なるようにパターンを重畳して形成した構造を示すイメージであり、(ｄ)は、四角錐状のパターンの配置を一定の間隔をおいて独立して離隔配置して密度を低くした構造を示すものである。
【００５７】
図７は、本発明に係る照明ユニットに光学パターンが形成された適用例の上部平面図を示すものである。
【００５８】
同図を参照すると、光ガイド部材１１０の内部にＬＥＤ１２０が複数収容されている構造において、光ガイド部材の上部面の第１方向(Ｐ１)と第２方向(Ｐ２)を考慮する場合、第２密度パターン領域(Ｘ２)は、第１方向(Ｐ１)に形成された第１光学パターンと第２方向(Ｐ２)に形成された第２光学パターンとが交差して形成される交差パターンで形成できる。即ち、図示されたように、第１又は第２光学パターンがプリズムパターンであるか、又は半円状のラインパターンである場合には、様々な構造の交差パターンを形成することができる。
【００５９】
又、第２密度パターン領域(Ｘ２)は、交差パターンではなく、第１又は第２光学パターンが単一パターンで形成された領域に形成することができる。即ち、例えば、プリズムパターン又は半円状のラインパターンのうちのいずれかで形成することができる。
【図１】
0005931895.tif 000002
【図２】
0005931895.tif 000003
【図３】
0005931895.tif 000004
【図４】
0005931895.tif 000005
【図５】
0005931895.tif 000006
【図６】
0005931895.tif 000007
【図７】
0005931895.tif 000008